(57)【要約】【課題】貯留室に落下させて収容する穀物を落下の途中で拡散させる拡散羽根を備えた穀物乾燥機であっても、透視窓を通した内側の状況の視認をしやすくすることができる穀物乾燥機を提供する。【解決手段】穀物乾燥機は、穀物の貯留室と乾燥室を有する箱体と、貯留室における穀物の量を外部から視認するための透視窓と、貯留室の内部を照明して透視窓を照らす照明装置（２５）と、穀物を貯留室の上方になる位置まで搬送して貯留室の内部に落下させる搬送装置（３０）と、搬送装置から落下する途上の穀物を拡散させる拡散羽根（３３）と、搬送装置の拡散羽根の上方になる位置以外の位置で穀物を貯留室の内部に落下させる開口部を開閉する開閉部材（４１）とを備え、開閉部材（４１）は、照明装置（２５）が少なくとも点灯するときに、開けられる。【選択図】図７
2020106181.tif 000002
【特許請求の範囲】
【請求項１】
穀物の貯留室（１１）と乾燥室（１２）を有する箱体（１０）と、
前記貯留室（１１）における穀物の量を外部から視認するための透視窓（１６）と、
前記貯留室（１１）の内部を照明して前記透視窓（１６）を照らす照明装置（２５）と、
穀物を前記貯留室（１１）の上方になる位置まで搬送して前記貯留室（１１）の内部に落下させる搬送装置（３０）と、
前記搬送装置（３０）から落下する途上の穀物を拡散させる拡散羽根（３３）と、
前記搬送装置（３０）の前記拡散羽根（３３）の上方になる位置以外の位置で穀物を前記貯留室（１１）の内部に落下させる開口部（３２ｆ）を開閉する開閉部材（４１）と、
を備え、
前記開閉部材（４１）は、前記照明装置（２５）が少なくとも点灯するときに、開けられることを特徴とする穀物乾燥機（１）。
【請求項２】
前記搬送装置（３０）のモータ（３６ａ）の負荷電流値を検出する検出計（２７）を備え、
前記照明装置（２５）は、前記検出計（２７）で検出される負荷電流値が所定の値以上のときに点灯することを特徴とする請求項１に記載の穀物乾燥機。
【請求項３】
前記照明装置（２５）を点灯させる操作を行う操作手段（５６）を備え、
前記開閉部材（４１）は、前記操作手段（５６）の操作により前記照明装置（２５）を点灯させたときに開けられることを特徴とする請求項１又は２に記載の穀物乾燥機。
【請求項４】
穀物の貯留室（１１）と乾燥室（１２）を有する箱体（１０）と、
前記貯留室（１１）における穀物の量を外部から視認するための透視窓（１６）と、
前記貯留室（１１）の内部を照明して前記透視窓（１６）を照らす照明装置（２５）と、
穀物を前記貯留室（１１）の上方になる位置まで搬送して前記貯留室（１１）の内部に落下させる搬送装置（３０）と、
前記搬送装置（３０）から落下する途上の穀物を拡散させる拡散羽根（３３）と、
前記搬送装置（３０）の前記拡散羽根（３３）の上方になる位置以外の位置で穀物を前記貯留室（１１）の内部に落下させる開口部（３２ｆ）を開閉する開閉部材（４１）と、
前記搬送装置（３０）のモータ（３６ａ）の負荷電流値を検出する検出計（２７）と、
を備え、
前記開閉部材（４１）は、前記検出計（２７）で検出される負荷電流値が所定の値以上のときに開けられることを特徴とする穀物乾燥機（１）。
【請求項５】
穀物の貯留室（１１）と乾燥室（１２）を有する箱体（１０）と、
前記貯留室（１１）における穀物の量を外部から視認するための透視窓（１６）と、
前記貯留室（１１）の内部を照明して前記透視窓（１６）を照らす照明装置（２５）と、
穀物を前記貯留室（１１）の上方になる位置まで搬送して前記貯留室（１１）の内部に落下させる搬送装置（３０）と、
前記搬送装置（３０）から落下する途上の穀物を拡散させる拡散羽根（３３）と、
前記搬送装置（３０）のモータ（３６ａ）の負荷電流値を検出する検出計（２７）と、
を備え、
前記照明装置（２５）は、前記検出計（２７）で検出される負荷電流値が所定の値以上のときに消灯する一方で前記所定の値未満のときに点灯することを特徴とする穀物乾燥機（１）。
【発明の詳細な説明】
【技術分野】
【０００１】
本発明は、穀物乾燥機に関するものである。
【背景技術】
【０００２】
箱体の貯留室に収容した穀物の量を目視により確認する技術としては、例えば下記特許文献１に記載の技術が知られている。
特許文献１には、穀粒等の穀物を収容して乾燥させる穀物乾燥機において、穀物を貯留するとともに張込んだ穀物の貯留レベルを目視により確認する覗き窓を前面側の壁に設けた上箱の天板に取付台を設け、その取付台に覗き窓の内側に対して上箱内から光線を投射する灯光器を装設した穀物乾燥機が記載されている。
また、特許文献１には、穀物を穀物乾燥機における台箱状の機体の貯留室となる上箱に収容する際、その穀物を昇降機により上箱の天井付近まで搬送した後、上箱の天井に配置される上部コンベアにより上箱の中央付近まで搬送し、最後に穀物を上部コンベアから上箱内に落下させて収容することも示されている。
【先行技術文献】
【特許文献】
【０００３】
【特許文献１】特許第４３９４７７７号公報（請求項１、段落００１１、図１〜図６）
【発明の概要】
【発明が解決しようとする課題】
【０００４】
特許文献１に記載された形式の穀物乾燥機においては、穀物を上部コンベアから貯留室の上箱内に落下させて収容する（張り込む）ときに、落下する途上の穀物を回転する拡散羽根により拡散させた状態で上箱内に収容することが多い。
しかしながら、このように拡散羽根を併用して穀物を収容する場合には、拡散羽根で拡散されて飛散する穀物により灯光器の光が散乱した状態で覗き窓に届くようになり、この結果、その覗き窓を通しての内側の状況の視認がしにくくなり、張り込んだ穀物の量を確認することが困難になることがある。
【０００５】
本発明は、貯留室に落下させて収容する穀物を落下の途中で拡散させる拡散羽根を備えた穀物乾燥機であっても、透視窓を通した内側の状況の視認をしやすくすることを技術的課題とする。
【課題を解決するための手段】
【０００６】
本発明の上記課題は、次の解決手段により解決される。
請求項１に記載の発明は、穀物の貯留室（１１）と乾燥室（１２）を有する箱体（１０）と、前記貯留室（１１）における穀物の量を外部から視認するための透視窓（１６）と、前記貯留室（１１）の内部を照明して前記透視窓（１６）を照らす照明装置（２５）と、穀物を前記貯留室（１１）の上方になる位置まで搬送して前記貯留室（１１）の内部に落下させる搬送装置（３０）と、前記搬送装置（３０）から落下する途上の穀物を拡散させる拡散羽根（３３）と、前記搬送装置（３０）の前記拡散羽根（３３）の上方になる位置以外の位置で穀物を前記貯留室（１１）の内部に落下させる開口部（３２ｆ）を開閉する開閉部材（４１）と、を備え、前記開閉部材（４１）は、前記照明装置（２５）が少なくとも点灯するときに、開けられることを特徴とする穀物乾燥機（１）である。
【０００７】
請求項２に記載の発明は、前記搬送装置（３０）のモータ（３６ａ）の負荷電流値を検出する検出計（２７）を備え、前記照明装置（２５）は、前記検出計（２７）で検出される負荷電流値が所定の値以上のときに点灯することを特徴とする請求項１に記載の穀物乾燥機である。
請求項３に記載の発明は、前記照明装置（２５）を点灯させる操作を行う操作手段（５６）を備え、前記開閉部材（４１）は、前記操作手段（５６）の操作により前記照明装置（２５）を点灯させたときに開けられることを特徴とする請求項１又は２に記載の穀物乾燥機である。
【０００８】
また本発明の上記課題は、以下の解決手段によっても解決される。
請求項４に記載の発明は、穀物の貯留室（１１）と乾燥室（１２）を有する箱体（１０）と、前記貯留室（１１）における穀物の量を外部から視認するための透視窓（１６）と、前記貯留室（１１）の内部を照明して前記透視窓（１６）を照らす照明装置（２５）と、穀物を前記貯留室（１１）の上方になる位置まで搬送して前記貯留室（１１）の内部に落下させる搬送装置（３０）と、前記搬送装置（３０）から落下する途上の穀物を拡散させる拡散羽根（３３）と、前記搬送装置（３０）の前記拡散羽根（３３）の上方になる位置以外の位置で穀物を前記貯留室（１１）の内部に落下させる開口部（３２ｆ）を開閉する開閉部材（４１）と、前記搬送装置（３０）のモータ（３６ａ）の負荷電流値を検出する検出計（２７）と、を備え、前記開閉部材（４１）は、前記検出計（２７）で検出される負荷電流値が所定の値以上のときに開けられることを特徴とする穀物乾燥機（１）である。
請求項５に記載の発明は、穀物の貯留室（１１）と乾燥室（１２）を有する箱体（１０）と、前記貯留室（１１）における穀物の量を外部から視認するための透視窓（１６）と、前記貯留室（１１）の内部を照明して前記透視窓（１６）を照らす照明装置（２５）と、穀物を前記貯留室（１１）の上方になる位置まで搬送して前記貯留室（１１）の内部に落下させる搬送装置（３０）と、前記搬送装置（３０）から落下する途上の穀物を拡散させる拡散羽根（３３）と、前記搬送装置（３０）のモータ（３６ａ）の負荷電流値を検出する検出計（２７）と、を備え、前記照明装置（２５）は、前記検出計（２７）で検出される負荷電流値が所定の値以上のときに消灯する一方で前記所定の値未満のときに点灯することを特徴とする穀物乾燥機（１）である。
【発明の効果】
【０００９】
請求項１に記載された発明によれば、貯留室に落下させて収容する穀物を落下の途中で拡散させる拡散羽根を備えた穀物乾燥機であっても、照明装置が点灯するときには開閉部材が開けられて穀物が拡散羽根で拡散されることなく落下することになり、穀物が拡散羽根で拡散されて落下する場合に比べて、透視窓を通した内側の状況の視認をしやすくすることができる。
【００１０】
請求項２に記載の発明によれば、穀物の張り込み量が相対的に多くなって負荷電流値が大きくなったときに照明装置が点灯されて開閉部材が開けられるようになり、貯留室における穀物の量が大幅に変化するときに合わせて透視窓を通した内側の状況の視認をしやすくすることができる。また、この発明では、穀物の張り込み時に照明装置を常時点灯させることがなくなり、照明装置の無駄な点灯時間を減らすこともできる。
請求項３に記載の発明によれば、操作手段の操作により照明装置が点灯されたときにも開閉部材が開けられるようになり、穀物乾燥機の使用者が必要とするときに合わせて透視窓を通した内側の状況の視認をしやすくすることができる。また、この発明でも、穀物の張り込み時に照明装置を常時点灯させることがなくなり、照明装置の無駄な点灯時間を減らすこともできる。
【００１１】
請求項４に記載の発明によれば、貯留室に落下させて収容する穀物を落下の途中で拡散させる拡散羽根を備えた穀物乾燥機であっても、穀物の張り込まれる量が相対的に多量になって負荷電流値が所定の値以上になるときには開閉部材が開けられて穀物が拡散羽根で拡散されることなく落下することになり、透視窓を通した内側の状況の視認をしやすくすることができる。
【００１２】
請求項５に記載の発明によれば、貯留室に落下させて収容する穀物を落下の途中で拡散させる拡散羽根を備えた穀物乾燥機であっても、穀物の張り込まれる量が相対的に少量になって負荷電流値が所定の値未満になるときには照明装置が点灯されるが、このときは拡散羽根で拡散される穀物の量も相対的に少量になるので照明装置の光が散乱される割合も減り、これにより透視窓を通した内側の状況の視認をしやすくすることができる。また、この発明では、穀物の張り込み時に照明装置を常時点灯させることがなくなり、照明装置の無駄な点灯時間を減らすこともできる。
【図面の簡単な説明】
【００１３】
【図１】（Ａ）は第１の実施形態に係る穀物乾燥機の正面側の斜め右上から見たときの外観を示す斜視図、（Ｂ）はその穀物乾燥機の背面側の斜め左上から見たときの外観を示す斜視図である。
【図２】図１の穀物乾燥機の正面側から見たときの内部を示す概要図である。
【図３】図１の穀物乾燥機の右側面側から見たときの内部を示す概要図である。
【図４】図１の穀物乾燥機の主な駆動系部分の構成を示す概略斜視図である。
【図５】図１の穀物乾燥機における操作盤の構成を示す概要図である。
【図６】図１の穀物乾燥機の主な制御系部分の構成を示すブロック図である。
【図７】図１の穀物乾燥機の張込運転時における制御動作の一部を示すフローチャートである。
【図８】第２の実施形態に係る穀物乾燥機の張込運転時における制御動作の一部を示すフローチャートである。
【図９】第３の実施形態に係る穀物乾燥機の張込運転時における制御動作の一部を示すフローチャートである。
【図１０】第４の実施形態に係る穀物乾燥機の張込運転時における制御動作の一部を示すフローチャートである。
【図１１】第５の実施形態に係る穀物乾燥機の張込運転時における制御動作の一部を示すフローチャートである。
【図１２】第６の実施形態に係る穀物乾燥機の張込運転時における制御動作の一部を示すフローチャートである。
【図１３】照明装置の他の設置例を示す概要図である。
【図１４】透視窓の他の構成例とその状態変化の様子を示す模式図である。
【図１５】透視窓に感知手段を併設する場合の構成例を示す模式図である。
【図１６】透視窓を光ファイバーからの光で照らす場合の構成例を示す概要図である。
【図１７】（Ａ）は透視窓の別の構成例を示す模式図、（Ｂ）は（Ａ）の透視窓のＢ−Ｂ線に沿う概略断面図である。
【発明を実施するための形態】
【００１４】
以下、本発明の実施の形態について、図面を参照しながら説明する。
【００１５】
［第１の実施形態］
図１から図３には、本発明の第１の実施形態に係る穀物乾燥機１が示されている。
【００１６】
穀物乾燥機１は、穀物を貯留する貯留室１１と穀物を乾燥させる乾燥室１２とが設けられた箱体１０を備えている。穀物は、籾、麦、豆類等に代表される乾燥処理を要する穀物である。
箱体１０は、主に貯留室１１と乾燥室１２とで構成されるものであるが、その貯留室１１と乾燥室１２に付属する他の機器も含まれる。
【００１７】
このうち貯留室１１は、例えば直方体状の収容空間を有する部分であり、箱体１０の上方側に配置されている。
また、乾燥室１２は、穀物を乾燥させる空間を有する部分であり、貯留室１１の下方側に連続して配置されている。この乾燥室１２は、正面側に配置された燃焼バーナ２１による熱風を正面側から背面側に通過させる筒状の熱風室１３と、熱風室１３を左右から挟んで下方の中央位置で合流するよう設けられて熱風および穀物を通過させる流下通路１４と、流下通路１４の左右外側に設けられて流下通路１４を通過した熱風を背面側に配置された排気ファン２２により吸引する排風室１５とを有している。
貯留室１１と乾燥室１２は、遮光性の部材で構成されていてかつほぼ密閉された構造になっているため、その内部である室内が薄暗い空間になっている。
【００１８】
また、穀物乾燥機１は、穀物を箱体１０の天井部１０ｂ付近まで上昇させるよう運ぶバケット式の昇降機３１と、昇降機３１で運ばれた穀物を箱体１０の天井部１０ｂにおいて貯留室１１まで移送する上部移送機３２とを含む搬送装置３０を備えている。
【００１９】
昇降機３１は、箱体１０の正面部１０ａの外側に上下方向に延びる状態で取り付けられる角筒状の搬送路体３１ａの内部空間に、複数のバケットを上下方向に循環移動させるバケット搬送機器３１ｂを配置したバケット式の搬送装置である。この昇降機３１における搬送機器３１ｂは、図４に示されるようにモータ３６ａやベルト式等の回転伝達装置３６ｂを含む駆動装置３６の駆動力により作動する。また昇降機３１は、その下部側において穀物を投入する張込ホッパ３８と接続されており、その上部側において上部移送機３２と接続されている。
【００２０】
上部移送機３２は、図１や図３に示されるように、箱体１０の天井部１０ｂの外側にほぼ水平方向に延びる状態で取り付けられる筒状の搬送路体３２ａの内部空間に、回転軸３２ｂの周りに螺旋状の搬送羽根３２ｃが形成されて回転するラセン搬送機器を配置したラセン式の搬送装置である。ラセン搬送機器は、上記駆動装置３６の駆動力の一部が回転伝達装置３６ｂで分配されて伝達されることにより回転する。
この上部移送機３２は、原則として、穀物を貯留室１１の上方位置になる天井部１０ｂのほぼ中央の位置まで搬送した後に貯留室１１の内部に落下させる。搬送路体３２ａには、穀物を落下させる位置の底面に箱体１０の天井部１０ｂも貫通させる図示しない第１の排出口３２ｅが形成されており、その第１の排出口３２ｅを通して穀物を貯留室１１の内部に落下させるようになっている。
【００２１】
また、上部移送機３２は、図３に示されるように、搬送路体３２ａの底面の排出口から貯留室１１の内部に入り込んだ位置で回転して落下途上の穀物を拡散させる拡散羽根３３が併設されている。
拡散羽根３３は、回転軸３３ａの下端部からほぼ水平方向に放射状に延びる複数枚の羽根部３３ｂが設けられている。また拡散羽根３３は、上記駆動装置３６の駆動力の一部が上部移送機３２の回転軸３２ｂを経由してギヤ等の回転伝達機構３６ｃにより回転軸３３ａにも伝達されることにより回転する。また、拡散羽根３３は、上部移送機３２から排出されて落下する途上の穀物を回転する羽根の部分に接触させることにより、その穀物を貯留室１１の内部で拡散させた状態にして落下させる。
【００２２】
さらに、上部移送機３２は、図３に示されるように、搬送路体３２ａのうち拡散羽根３３の上方になる位置以外の位置の底面に箱体１０の天井部１０ｂも貫通させる図示しない第２の排出口３２ｆが形成されており、その第２の排出口３２ｆを開閉するよう作動する開閉シャッタ４１が併設されている。
開閉シャッタ４１は、駆動モータ、ソレノイド等の駆動装置４２の駆動力により開閉する方向に移動させられる。
この開閉シャッタ４１が第２の排出口３２ｆを閉じた位置にあるときには、上部移送機３２が穀物を第２の排出口３２ｆから落下させることなく第２の排出口３２ｆを通過させて第１の排出口３２ｅまで搬送して落下させる。また開閉シャッタ４１が第２の排出口３２ｆを開いた位置にあるときには、上部移送機３２が穀物を第２の排出口３２ｆから落下させる。
【００２３】
また、穀物乾燥機１は、乾燥室１２における流下通路１４を流下して合流する穀物を所要の量ずつ繰り出す排出装置３４と、その排出装置３４から繰り出された穀物を箱体１０の正面部１０ａの側に移送するとともに昇降機３１に送り込む下部移送機３５とを備えている。
【００２４】
排出装置３４は、円柱状の回転体に複数の搬送溝が形成されたロータリバルブ等で構成されており、乾燥室１２の下部に配置されている。下部移送機３５は、搬送路体に上部移送機３２のラセン搬送機器が同様に設けられて構成されており、排出装置３４の下方に配置されている。排出装置３４と下部移送機３５は、図４に示されるように、上記駆動装置３６の駆動力の一部が昇降機３１のバケット搬送機器３１ｂを経由して回転伝達機構３６ｄにより再分配されて伝達されることにより作動する。
この排出装置３４と下部移送機３５も、搬送装置３０の一部を構成するものである。また、排出装置３４と下部移送機３５は、回転伝達機構３６ｄの伝達機能のＯＮ，ＯＦＦの切り替えにより、昇降機３１、上部移送機３２および拡散羽根３３との作動とは独立して作動のＯＮ，ＯＦＦが可能になっている。
【００２５】
さらに、穀物乾燥機１は、箱体１０の正面部１０ａで貯留室１１の正面部にもなる側壁に、乾燥室１２を含む貯留室１１に収容される穀物の量（貯留量）を外部から目視で確認する透視窓１６が設けられている。
透視窓１６は、例えば透光性を有する部材で構成された窓であり、貯留室１１の正面になる箱体１０の正面部１０ａの上下方向に対してほぼ等間隔で一列になって並ぶように複数設けられている。
【００２６】
また、穀物乾燥機１は、箱体１０の天井部１０ｂに貯留室１１の内部を照明して透視窓１６を照らす照明装置２５を備えている。
照明装置２５は、箱状の枠体の内部に発光機器を装着したものである。発光機器としては、例えばＬＥＤ素子を発光源としたものが使用される。また、照明装置２５は、例えば、図１（Ａ）に示されるように箱体１０の天井部１０ｂのうち透視窓１６に接近した位置に配置されている。
【００２７】
図１等において符号２６は昇降機３１にて運ばれる穀物の一部を採取して水分量を自動で計測する水分計、符号２８は穀物乾燥機１の点検等の作業を行う際に使用する作業用はしご、符号２９は穀物乾燥機１を設置する設置面９等の場所において移動させるときに使用するストッパ付きのキャスタをそれぞれ示す。
また、符号１８は貯留室１１、乾燥室１２（熱風室１３、流下通路１４、排風室１５）等を外側から支持する複数の柱フレーム、符号１９は各柱フレーム１８を水平方向において連結する複数の連結フレームをそれぞれ示す。
【００２８】
また、穀物乾燥機１は、図１や図３に示されるように、箱体１０の正面部１０ａにおける下部に、制御装置を内蔵する操作盤５０を備えている。
操作盤５０は、図５に示されるように、動作状態、動作条件等に関する情報の画面が表示される画面表示部５２や、以下に例示する各運転の実行や停止を指示して操作する各種の操作ボタン５３ａ〜５３ｅや、動作、種類等の条件の選択を行う選択ボタン５４ａ〜５４ｆや、非常時の緊急停止ボタン５５等が配置されている。操作盤５０では、張込運転、通風運転、乾燥運転、排出運転等の運転の実行および停止を選択して指示する操作を行うことができる。
【００２９】
ここで、張込運転は、張込ホッパ３８から投入されて張り込まれた穀物を昇降機３１および上部移送機３２により搬送して貯留室１１の内部に落下させて張り込む運転である。通風運転は、貯留室１１に収容された穀物を排気ファン２２による通風を行いながら排出装置３４、下部移送機３５、昇降機３１、上部移送機３２等の搬送手段により順次搬送して循環移動させる運転である。
また、乾燥運転は、燃焼バーナ２１を駆動して貯留室１１に収容された穀物を上記循環移動と同様に循環移動させながら乾燥室１２を通過させる際に乾燥させる運転である。排出運転は、乾燥運転の終了後に、貯留室１１に収容された穀物を循環移動させるとともに、昇降機３１の上端部と上部移送機３２の間に配置された排出ホッパ３９における図示しない排出シャッタを開いた状態にして張り込んだ作物を機外に排出する運転である。排出ホッパ３９には、図示しない搬出搬送用のパイプなどが接続される。
【００３０】
操作盤５０には、図６に示されるように制御装置５８を中心にした制御系の構成が内蔵されている。制御装置５８には、例えば、操作盤５０における操作ボタン５３ａ〜５３ｅや選択ボタン５４ａ〜５４ｆ、水分計２６等からの情報が入力される一方で、昇降機３１、上部移送機３２、拡散羽根３３等の搬送装置３０における駆動装置３６、燃焼バーナ２１、排気ファン２２、シャッタ駆動装置４２、照明装置２５、操作盤５０における画面表示部５２等の制御対象に制御信号を出力するよう接続されている。また、制御装置５８は、メモリ５９に予め格納されているプログラム、データ等に基づいて制御信号を所要の制御対象に出力して作動する。
【００３１】
そして、穀物乾燥機１は、特に穀物の張込運転が行われる際、照明装置２５が少なくとも点灯するときに、開閉シャッタ４１を開けるという制御動作を制御装置５８が実行するよう構成されている。
図７には、この穀物乾燥機１の張込運転時における主な制御動作のフローチャートが示されている。この制御動作は、張込運転時に限らず、例えば乾燥運転時等において同様に行っても構わない（後述する各実施形態等においても同様である。）。
【００３２】
まず、図７に示されるように、穀物乾燥機１において張込ボタン５３ａが押されると（ステップ１０：Ｓ１０）、搬送系の駆動装置３６のモータ３６ａが始動して昇降機３１、上部移送機３２および拡散羽根３３が作動し始める（Ｓ１１）。
【００３３】
この穀物乾燥機１では、原則として、張込ホッパ３８に投入される穀物が、昇降機３１、上部移送機３２の順で搬送された後、最後に上部移送機３２における第１の排出口３２ｅから落下させられるとともにその落下の途上で回転する拡散羽根３３に接触して拡散された状態になって落下させられる。これにより、穀物は、箱体１０の貯留室１１等に堆積するよう収容される。
【００３４】
また、この張込運転の開始時には、制御装置５８において操作盤５０からの入力情報に基づいて、今回張り込まれる穀物が豆類以外のもの、例えば籾、麦等のものであるかが判断される（Ｓ１２）。
【００３５】
穀物が豆類以外のものである場合は、この張込運転において照明装置２５が点灯される設定であるか否かが判断される（Ｓ１３）。
【００３６】
この際、照明装置２５が点灯される設定であると判断されると、照明装置２５が点灯されるとともに、シャッタ駆動装置４２が始動して開閉シャッタ４１が開けられる（Ｓ１４）。これにより、上部移送機３２における第１の排出口３２ｅよりも搬送方向上流側にある第２の排出口３２ｆが開いた状態になる。
照明装置２５が点灯される設定であるとは、例えば、穀物の種類や張り込み量等の条件に応じて張込運転時に照明装置２５を点灯させることがプログラム等において予め定められている場合などである。
【００３７】
この場合、張り込まれる豆類以外の穀物は、上部移送機３２における第２の排出口３２ｆから自然に落下させられて貯留室１１に収容される。つまり、このときの穀物は、その落下の途上で拡散羽根３３により拡散されることなく貯留室１１の内部に落下する。ちなみに、豆類の穀物も同様に拡散羽根３３により拡散されることなく貯留室１１の内部に落下して収容される（この点は後述する他の実施形態等でも同様である。）。
【００３８】
したがって、このときの穀物乾燥機１では、照明装置２５からの光が拡散羽根３３で拡散されて飛散する穀物で散乱されることなく複数の透視窓１６に自然な状態でそれぞれ届いて各透視窓１６を正常に照らすので、その透視窓１６を通した貯留室１１の内側の状況を視認しやすくなり、この結果、透視窓１６を通して張り込んだ穀物の量の確認を行うことができる。
【００３９】
一方、ステップ１２において張り込む穀物が豆類であると判断された場合には、照明装置２５の点灯の有無にかかわらず、開閉シャッタ４１が開けられる。
この場合は、豆類の穀物が拡散羽根３３で拡散されることなく貯留室１１に収容されるので、豆類の穀物が拡散羽根３３に接触することで傷付けられることが回避される。
【００４０】
また、ステップ１３において照明装置２５が点灯される設定ではないと判断された場合には、開閉シャッタ４１が開けられることなく閉じられたままである。このようなケースとしては、例えば、張り込む穀物の張り込み量が操作盤５０上の張込量ボタン５４ａで予め設定されていて、その入力情報から透視窓１６を通して張り込んだ穀物の量の確認をする必要がないことが判明している場合などである。
この場合は、張り込んだ穀物の量の確認をする必要がないので、照明装置２５が点灯されることなく消灯した状態で張込運転が行われる。
【００４１】
そして、この穀物乾燥機１では、例えば水分計２６により張り込みの穀物の有無を検出しており、水分計２６による穀物なしと検出されるか否かが判断される（Ｓ１５）。水分計２６による穀物の検出は、水分計２６による検出電流値に基づいて行われる。
この際、水分計２６による穀物なしと検出されると、搬送系の駆動装置３６のモータ３６ａが停止して昇降機３１、上部移送機３２および拡散羽根３３の作動が停止させられる（Ｓ１６）。またこのときの搬送系の動作停止に連動して、開いていた状態の開閉シャッタ４１が閉じられる（Ｓ１７）。
【００４２】
以上により、張込運転が終了する。
【００４３】
［第２の実施形態］
図８には、本発明の第２の実施形態に係る穀物乾燥機の動作例が示されている。
第２の実施形態に係る穀物乾燥機は、第１の実施形態に係る穀物乾燥機１と対比した場合、図４に示されるように搬送装置３０の駆動装置３６におけるモータ３６ａの負荷電流値を検出する検出計としての過負荷電流値検出センサ２７を備えている点と、照明装置２５について過負荷電流値検出センサ２７で検出される負荷電流値が所定の値以上のときに点灯するよう構成した点とで異なる。
【００４４】
過負荷電流値検出センサ２７としては、例えば、定電圧制御されるモータ３６ａに駆動用の電流を供給する図示しない電源部における電流値を計測する電流計が使用される。過負荷電流値検出センサ２７は、図６に二点鎖線で示されるように制御装置５８と接続されており、その検出結果の情報を制御装置５８に送るようになっている。
また、所定の値については、例えば、モータ３６ａに供給される定格電流値以内の電流値であるが、張り込む穀物の量が昇降機３１や上部移送機３２を満たす程度に連続して多く搬送されるときにモータ３６ａに実際に供給される電流値を目安に閾値として予め設定される。この所定の値は、制御装置５８のメモリ５９に制御データの一部として格納される。
【００４５】
第２の実施形態に係る穀物乾燥機においても、第１の実施形態に係る穀物乾燥機１の場合と同様に、特に穀物の張込運転が行われる際、照明装置２５が少なくとも点灯するときに、開閉シャッタ４１を開けるという制御動作を制御装置５８が実行するよう構成されている。
図８には、この穀物乾燥機の張込運転時における主な制御動作のフローチャートが示されている。
【００４６】
まず、この穀物乾燥機においても、図８に示されるように、第１の実施形態に係る穀物乾燥機１の場合と同様、張込ボタン５３ａが押されると（Ｓ１０）、昇降機３１、上部移送機３２および拡散羽根３３が作動し始めるとともに（Ｓ１１）、今回張り込まれる穀物が豆類以外のものであるかが判断され（Ｓ１２）、穀物の張込運転が開始される。
【００４７】
続いて、ステップ１２において穀物が豆類以外のものであると判断された場合は、制御装置５８において過負荷電流値検出センサ２７で検出される過負荷電流値が所定の値：Ｉｓ以上になるか否かが判断される（Ｓ２１）。
この際、過負荷電流値がＩｓ以上になると、照明装置２５が点灯され（Ｓ２２）、これに連動して開閉シャッタ４１が開けられる（Ｓ１４）。ステップ１２において張り込む穀物が豆類であると判断された場合には、照明装置２５の点灯の有無にかかわらず、開閉シャッタ４１が開けられる。
【００４８】
この後は、第１の実施形態に係る穀物乾燥機１の場合と同様に、水分計２６による穀物なしと検出されるか否かが判断され（Ｓ１５）、水分計２６による穀物なしと検出されると、昇降機３１、上部移送機３２および拡散羽根３３の作動が停止させられる（Ｓ１６）。また、この搬送系の動作停止に連動して、開いていた開閉シャッタ４１が閉じられるとともに（Ｓ１７）、点灯していた照明装置２５が消灯される（Ｓ２４）。
以上により、張込運転が終了する。
【００４９】
このように第２の実施形態に係る穀物乾燥機においては、穀物の張り込み量が相対的に多くなって負荷電流値が大きくなったときにも照明装置２５が点灯されて開閉シャッタ４１が開けられるようになるので、張り込まれる豆類以外の穀物が、上部移送機３２における第２の排出口３２ｆから自然に落下させられ、その落下の途上で拡散羽根３３により拡散されることなく貯留室１１の内部に落下する。
これにより、照明装置２５からの光は、拡散羽根３３で拡散された穀物により散乱させられることなく、複数の透視窓１６を正常に照らすようになる。
【００５０】
したがって、この穀物乾燥機では、特に穀物の張り込み量が相対的に多くなって貯留室１１における穀物の量が大幅に変化するときに合わせて、透視窓１６を通した貯留室１１の内側の状況を視認しやすくなり、透視窓１６を通して張り込んだ穀物の量を確認することができる。
また、この穀物乾燥機では、照明装置２５を張込運転の開始時からずっと点灯しておく必要がなくなり、照明装置２５の無駄な点灯時間を減らすこともできる。
なお、この穀物乾燥機においては、過負荷電流値が一度Ｉｓ以上になると、その後にＩｓ未満になっても、照明装置２５を消灯することなく点灯し続け、開閉シャッタ４１も張込運転の終了時まで開け続けるよう構成されている。
【００５１】
［第３の実施形態］
図９には、本発明の第３の実施形態に係る穀物乾燥機の動作例が示されている。
第３の実施形態に係る穀物乾燥機は、第１の実施形態に係る穀物乾燥機１と対比した場合、図５に二点鎖線で示されるように照明装置２５を点灯させる操作を行う操作手段としての照明スイッチ５６を備えている点と、開閉シャッタ４１について照明スイッチ５６の操作により照明装置２５を点灯させたときに開けるよう構成した点とで異なる。
【００５２】
照明スイッチ５６は、照明装置２５の点灯および消灯のための操作を行うことができるものであり、図５に示されるように例えば操作盤５０内に設けられる。照明スイッチ５６は、図６に二点鎖線で示されるように制御装置５８と接続されており、その操作結果の情報を制御装置５８に送るようになっている。なお、照明スイッチ５６については、ボタン式等の他の形式の操作手段でも構わない。
【００５３】
第３の実施形態に係る穀物乾燥機においても、第１の実施形態に係る穀物乾燥機１の場合と同様に、特に穀物の張込運転が行われる際、照明装置２５が少なくとも点灯するときに、開閉シャッタ４１を開けるという制御動作を制御装置５８が実行するよう構成されている。
図９には、この穀物乾燥機の張込運転時における主な制御動作のフローチャートが示されている。
【００５４】
まず、この穀物乾燥機においても、図９に示されるように、第１の実施形態に係る穀物乾燥機１の場合と同様に、張込ボタン５３ａが押されることで穀物の張込運転が開始される（Ｓ１０〜Ｓ１２）。
【００５５】
続いて、ステップ１２において穀物が豆類以外のものであると判断された場合は、制御装置５８において照明スイッチ５６の操作により照明装置２５を点灯することになるか否かが判断される（Ｓ２５）。
この際、照明スイッチ５６の操作により照明装置２５を点灯することになると、照明装置２５が点灯され（Ｓ２２）、これに連動して開閉シャッタ４１が開けられる（Ｓ２３）。ステップ１２において張り込む穀物が豆類であると判断された場合には、照明装置２５の点灯の有無にかかわらず、開閉シャッタ４１が開けられる。
【００５６】
この後は、第１の実施形態に係る穀物乾燥機１の場合や第２の実施形態に係る穀物乾燥機の場合と同様に、水分計２６による穀物なしと検出されると、昇降機３１、上部移送機３２および拡散羽根３３の作動が停止させられ、その搬送系の動作停止に連動して開閉シャッタ４１が閉じられるとともに照明装置２５が消灯され（Ｓ１５〜Ｓ１７，Ｓ２４）、張込運転が終了する。
【００５７】
このように第３の実施形態に係る穀物乾燥機においても、照明スイッチ５６の操作により照明装置２５が点灯されたときにも開閉シャッタ４１が開けられるようになり、張り込まれる豆類以外の穀物が、上部移送機３２における第２の排出口３２ｆから自然に落下させられ、その落下の途上で拡散羽根３３により拡散されることなく貯留室１１の内部に落下する。
これにより、照明装置２５からの光は、拡散羽根３３で拡散された穀物により散乱させられることなく、複数の透視窓１６を正常に照らすようになる。
【００５８】
したがって、この穀物乾燥機では、特に穀物乾燥機の使用者が必要とするときに合わせて、透視窓１６を通した貯留室１１の内側の状況を視認しやすくなり、透視窓１６を通して張り込んだ穀物の量を確認することができる。
また、この穀物乾燥機では、照明装置２５を張込運転の開始時からずっと点灯しておく必要がなくなり、照明装置２５の無駄な点灯時間を減らすこともできる。
なお、この穀物乾燥機においては、照明スイッチ５６の操作により点灯していた照明装置２５が消灯されたときには、開閉シャッタ４１が閉じられる。
【００５９】
［第４の実施形態］
図１０には、本発明の第４の実施形態に係る穀物乾燥機の動作例が示されている。
第４の実施形態に係る穀物乾燥機は、第２の実施形態に係る穀物乾燥機と対比した場合、照明装置２５が少なくとも張込運転時には常時点灯する設定になっている点と、図１０に示されるように開閉シャッタ４１について過負荷電流値検出センサ２７で検出される負荷電流値が所定の値以上のときに開けるよう構成した点とで異なる。
【００６０】
過負荷電流値検出センサ２７については、第２の実施形態における過負荷電流値検出センサ２７と同様に構成されている。また、所定の値についても、第２の実施形態における所定の値と同様に構成されている。
【００６１】
第４の実施形態に係る穀物乾燥機においては、特に穀物の張込運転が行われる際、照明装置２５を常時点灯させるという制御動作と、過負荷電流値検出センサ２７で検出される負荷電流値が所定の値以上のときに、開閉シャッタ４１を開けるという制御動作を制御装置５８が実行するよう構成されている。
図１０には、この穀物乾燥機の張込運転時における主な制御動作のフローチャートが示されている。
【００６２】
まず、この穀物乾燥機においても、第１の実施形態に係る穀物乾燥機１の場合と同様に、図１０に示されるように、張込ボタン５３ａが押されると（Ｓ１０）、昇降機３１、上部移送機３２および拡散羽根３３が作動し始め（Ｓ１１）、今回張り込まれる穀物が豆類以外のものであるかが判断され（Ｓ１２）、穀物の張込運転が開始される。この際、昇降機３１等の作動開始と合わせて照明装置２５が点灯される（Ｓ３０）。
【００６３】
続いて、ステップ１２において穀物が豆類以外のものであると判断された場合は、制御装置５８において過負荷電流値検出センサ２７で検出される過負荷電流値が所定の値：Ｉｓ以上になるか否かが判断される（Ｓ３１）。
この際、過負荷電流値がＩｓ以上になると、開閉シャッタ４１が開けられる（Ｓ３２）。ステップ１２において張り込む穀物が豆類であると判断された場合には、過負荷電流値の結果にかかわらず、開閉シャッタ４１が開けられる。
【００６４】
この後は、第１の実施形態に係る穀物乾燥機１の場合や第２の実施形態に係る穀物乾燥機の場合と同様に、水分計２６による穀物なしと検出されると、昇降機３１、上部移送機３２および拡散羽根３３の作動が停止させられ、その搬送系の動作停止に連動して開閉シャッタ４１が閉じられるとともに照明装置２５が消灯され（Ｓ１５〜Ｓ１７，Ｓ３３）、張込運転が終了する。
【００６５】
このように第４の実施形態に係る穀物乾燥機においては、穀物の張り込まれる量が相対的に多量になって負荷電流値が所定の値以上になるときには、照明装置２５が点灯しているなかで開閉シャッタ４１が開けられるので、張り込まれる豆類以外の穀物が、上部移送機３２における第２の排出口３２ｆから自然に落下させられ、その落下の途上で拡散羽根３３により拡散されることなく貯留室１１の内部に落下する。
これにより、照明装置２５からの光は、拡散羽根３３で拡散された穀物により散乱させられることなく、複数の透視窓１６を正常に照らすようになる。
【００６６】
したがって、この穀物乾燥機では、特に穀物の張り込み量が相対的に多くなって貯留室１１における穀物の量が大幅に変化するときに合わせて、透視窓１６を通した貯留室１１の内側の状況を視認しやすくなり、透視窓１６を通して張り込んだ穀物の量を確認することができる。
【００６７】
［第５の実施形態］
図１１には、本発明の第５の実施形態に係る穀物乾燥機の動作例が示されている。
第５の実施形態に係る穀物乾燥機は、第２の実施形態に係る穀物乾燥機と対比した場合、図１１に示されるように照明装置２５について過負荷電流値検出センサ２７で検出される負荷電流値が所定の値以上のときに消灯する一方でその所定の値未満のときに点灯するよう構成した点とで異なる。
【００６８】
過負荷電流値検出センサ２７については、第２の実施形態における過負荷電流値検出センサ２７と同様に構成されている。また、所定の値：Ｉｓについても、第２の実施形態における所定の値と同様に構成されている。
【００６９】
第５の実施形態に係る穀物乾燥機においては、特に穀物の張込運転が行われる際、過負荷電流値検出センサ２７で検出される負荷電流値に応じて照明装置２５を消灯又は点灯させるという制御動作を制御装置５８が実行するよう構成されている。
図１１には、この穀物乾燥機の張込運転時における主な制御動作のフローチャートが示されている。
【００７０】
まず、この穀物乾燥機においても、第１の実施形態に係る穀物乾燥機１の場合と同様に、図１１に示されるように、張込ボタン５３ａが押されると（Ｓ１０）、昇降機３１、上部移送機３２および拡散羽根３３が作動し始め（Ｓ１１）、張り込まれる穀物が豆類以外のものであるかが判断され（Ｓ１２）、穀物の張込運転が開始される。
【００７１】
続いて、ステップ１２において穀物が豆類以外のものであると判断された場合は、制御装置５８において過負荷電流値検出センサ２７で検出される過負荷電流値が所定の値：Ｉｓ以上になるか否かが判断される（Ｓ４０）。
この際、過負荷電流値がＩｓ以上になると、照明装置２５が（点灯している場合には）消灯される（Ｓ４１）。
このときの張込運転は、開閉シャッタ４１が閉じているものの、照明装置２５が消灯したなかで行われる。
【００７２】
続いて、制御装置５８において過負荷電流値検出センサ２７で検出される過負荷電流値が所定の値：Ｉｓ未満になるか否かが判断される（Ｓ４２）。
過負荷電流値がＩｓ未満になると、消灯していた照明装置２５が点灯される（Ｓ４３）。
このときの張込運転は、照明装置２５が点灯したなかで行われる。
また、ステップ１２において張り込む穀物が豆類であると判断された場合には、過負荷電流値の結果にかかわらず開閉シャッタ４１が開けられる（Ｓ４４）が、図１１に示されるように、開閉シャッタ４１が開けられた後はステップ４２に移行する。
【００７３】
この後は、第１の実施形態に係る穀物乾燥機１の場合や第２の実施形態に係る穀物乾燥機の場合と同様に、水分計２６による穀物なしと検出されると、昇降機３１、上部移送機３２および拡散羽根３３の作動が停止させられ、その搬送系の動作停止に連動して照明装置２５が消灯され（Ｓ１５〜Ｓ１７，Ｓ４５）、張込運転が終了する。なおステップ４４において開閉シャッタ４１が開けられた場合は、その開閉シャッタ４１が閉じられる（Ｓ１７）。
【００７４】
このように第５の実施形態に係る穀物乾燥機においては、豆類以外の穀物の張り込まれる量が相対的に少量になって負荷電流値が所定の値Ｉｓ未満になるときに照明装置２５が点灯されるが、このときの穀物は、第１の排出口３２ｅから落下させられるとともに、その落下する途上で拡散羽根３３に接触して拡散された状態にされて貯留室１１に収容される。
しかし、このときは、拡散羽根３３で拡散される穀物の量が相対的に少量になるので、照明装置２５の光が拡散された穀物で散乱される割合も減る。
これにより、照明装置２５からの光は、負荷電流値が所定の値Ｉｓ以上であるときに比べて、拡散羽根３３で拡散された穀物により散乱させられることが少なく、複数の透視窓１６をほぼ正常に照らすようになる。
【００７５】
したがって、この穀物乾燥機では、特に穀物の張り込み量が相対的に少量になって貯留室１１における穀物の張り込みが終了する間近になる時期に合わせて、透視窓１６を通した貯留室１１の内側の状況を視認しやすくなり、透視窓１６を通して張り込んだ穀物の量を確認することができる。
また、この穀物乾燥機では、照明装置２５を張込運転の開始時からずっと点灯しておく必要がなくなり、照明装置２５の無駄な点灯時間を減らすこともできる。
【００７６】
ちなみに、この穀物乾燥機においては、穀物の張り込み量が相対的に多量になって負荷電流値が所定の値Ｉｓ以上になるときには照明装置２５が消灯されるので、透視窓１６を通した内側の状況の視認がほぼできない状態になる。
しかし、このときは、拡散羽根３３で拡散される穀物の量も相対的に多量になって照明装置２５の光が散乱される割合も多くなり、透視窓１６を通した内側の状況の視認がしにくくなるときでもあるため、特に問題はない。
【００７７】
［第６の実施形態］
図１２には、本発明の第６の実施形態に係る穀物乾燥機の動作例が示されている。
第６の実施形態に係る穀物乾燥機は、第３の実施形態に係る穀物乾燥機と対比した場合、図１２に示されるように開閉シャッタ４１について照明スイッチ５６の操作により照明装置２５を点灯させたときに開けるが、照明装置２５が所定の時間が経過すると消灯して開閉シャッタが閉じられるよう構成した点で異なる。
【００７８】
この穀物乾燥機においても、図１２に示されるように、第３の実施形態に係る穀物乾燥機１の場合と同様に、張込ボタン５３ａが押されることで穀物の張込運転が開始される（Ｓ１０〜Ｓ１２）。
【００７９】
続いて、ステップ１２において穀物が豆類以外のものであると判断された場合は、制御装置５８において照明スイッチ５６の操作により照明装置２５を点灯することになるか否かが判断される（Ｓ６０）。
この際、照明スイッチ５６の操作により照明装置２５を点灯することになると、照明装置２５が点灯され（Ｓ６１）、これに連動して開閉シャッタ４１が開けられる（Ｓ６２）。
続いて、照明装置２５の点灯する時間が予め定める所定の時間を経過するか否かが判断され（Ｓ６３）、その所定の時間が経過すると、照明装置２５が消灯され（Ｓ６４）、これに連動して開閉シャッタ４１が閉じられる（Ｓ６５）。
ステップ１２において張り込む穀物が豆類であると判断された場合には、照明装置２５の点灯の有無にかかわらず、開閉シャッタ４１が開けられる（Ｓ６６）。
【００８０】
この後は、ステップ１５において水分計２６による穀物なしと検出されると、昇降機３１、上部移送機３２および拡散羽根３３の作動が停止させられ（Ｓ１６）、張込運転が終了する。
また、ステップ１５において水分計２６による穀物なしと検出されない場合は、上記動作が同様に繰り返される。
なお、張り込む穀物が豆類であった場合は、水分計２６による穀物なしと検出されて上部移送機３２および拡散羽根３３の作動が停止させられた後に（Ｓ１５〜Ｓ１６）、開閉シャッタ４１が閉じられ（Ｓ１７）、もって張込運転が終了する。
【００８１】
このように第６の実施形態に係る穀物乾燥機においては、使用者の照明スイッチ５６の操作により照明装置２５が点灯されたときに開閉シャッタ４１が開けられるようになり、そのときの照明装置２５が所定の時間だけ点灯している間だけ、張り込まれる豆類以外の穀物が、上部移送機３２における第２の排出口３２ｆから自然に落下させられ、その落下の途上で拡散羽根３３により拡散されることなく貯留室１１の内部に落下する。
これにより、点灯した照明装置２５からの光は、拡散羽根３３で拡散された穀物により散乱させられることなく、複数の透視窓１６を正常に照らすようになる。
【００８２】
したがって、この穀物乾燥機では、穀物乾燥機の使用者が必要とするときに合わせて照明装置２５が所定の時間だけ点灯している間は、透視窓１６を通した貯留室１１の内側の状況を視認しやすくなり、透視窓１６を通して張り込んだ穀物の量を確認することができる。
一方、照明装置２５が消灯しているときには、開閉シャッタ４１が閉じられて穀物が拡散羽根３３により拡散されて収容されるので、穀物を貯留室１１内に満遍なく収容させることができる。なおこの効果は、穀物が拡散羽根３３で拡散されて収容されるときは、他の実施形態の場合でも同様に得られる。
また、この穀物乾燥機では、使用者が張り込んだ穀物の量を透視窓１６で視認して確認したときにだけ照明スイッチ５６を操作して照明装置２５が点灯させることになるので、照明装置２５の無駄な点灯時間を減らすこともできる。
【００８３】
なお、この第６の実施形態では、上記第５の実施形態で説明したように照明装置２５について過負荷電流値検出センサ２７で検出される負荷電流値が所定の値以上のときに消灯させる構成を併用してもよい。
また、上記第１〜第５の実施形態においても、照明装置２５が点灯したときは、この第６の実施形態の場合のように点灯した照明装置２５を所定の時間が経過した後に消灯させ、これに連動させて開閉シャッタ４１を閉じ、しかる後に水分計２６による穀物なしの検出を行うように構成してもよい。
【００８４】
［変形例］
本発明は、第１〜第６の実施形態でそれぞれ例示した内容に何ら限定されるものではない。このため本発明は、例えば、以下に挙げるような変形例も含むものである。
【００８５】
上記照明装置２５については、連続した点灯でなく、点滅するよう構成してもよい。
このように照明装置２５を点滅するよう構成した場合は、連続して点灯させる場合に比べて、透視窓１６を通した貯留室１１の内側の状況を更に視認しやすくなる。
【００８６】
また、上記照明装置２５については、日中等の明るい時間帯（例えば１０：００〜１７：００の時間帯）には光量を相対的に上げた点灯を行い、夜間等の暗い時間帯には光量を相対的に下げて点灯させるように構成してもよい。この光量については、例えば２４時間時計で管理して制御すればよい。
【００８７】
このように構成した場合は、日中等の明るい時間帯においては、穀物乾燥機の周囲も比較的明るくて透視窓１６を通した貯留室１１の内側の状況を視認しにくいが、光量が上がることでその分、透視窓１６を通した貯留室１１の内側の状況を更に視認しやすくすることができる。反対に、夜間等の暗い時間帯においては、穀物乾燥機の周囲も暗くなるので透視窓１６を透過する光が見えやすくなり、光量を下げても、透視窓１６を通した貯留室１１の内側の状況の視認性を確保しやすくなる。また、光量を下げることで電気代等の経費削減も可能になる。
なお、照明装置２５の点灯については、光量を下げることに代えて又は併せて、光の色を視認しやすい色に変更する（変色させる）ように構成してもよい。
【００８８】
また、第１〜第４の実施形態における拡散羽根３３の動作については、日中等の明るい時間帯で照明装置２５を点灯させるとともに開閉シャッタ４１を開けるときには、回転を停止させるよう構成してもよい。この場合は、搬送系の駆動装置３６における駆動力の拡散羽根３３への伝達をＯＮ／ＯＦＦすることが可能なクラッチ機構等を採用すればよい。また、この場合は、排気ファン２２を作動させることが望ましい。
【００８９】
このように構成した場合は、拡散羽根３３による穀物の散乱を確実に防ぐことができ、また拡散羽根３３の無駄な回転を減らすこともできる。また、排気ファン２２を作動させた場合は、貯留室１１内の塵埃等の発生を抑えることができるので、透視窓１６を通した貯留室１１の内側の状況の視認性を向上させることができる。
なお、夜間等の暗い時間帯は、照明装置２５を点灯させるとともに開閉シャッタ４１を開けるときでも、拡散羽根３３を回転させておいてもよい。これは、夜間等の暗い時間帯は拡散羽根３３で穀物がある程度拡散された場合でも、日中等の明るい時間帯に比べると、透視窓１６を通した貯留室１１の内側の状況が視認しやすいからである。
【００９０】
また、上記照明装置２５については、図１３に示される照明装置２５Ｂのように、箱体１０のうち透視窓１６のある正面部１０ａとは反対側の背面部１０ｄの上部に開口部を設け、その開口部の外側（箱体１０の外部）から貯留室１１の内部を照明する状態で配置してもよい。
この場合、照明装置２５Ｂは、箱体１０の正面部１０ａにおける上下方向に一列状に並ぶ複数の透視窓１６（図１等を参照）のうち少なくとも中央部の付近と上部側にある透視窓１６を照射して照らすように設置すればよい。言い換えれば、照明装置２５Ｂは、図１３に二点鎖線の矢印で例示されるように、少なくとも中央部の付近と上部側にある透視窓１６を箱体１０の背面部１０ｄからほぼ水平方向に延びる光で照射するように設置するとよい。また、照明装置２５Ｂは、箱体１０の背面部１０ｄの上下方向に間隔をあけて複数個設置しても構わない。
【００９１】
このように照明装置２５Ｂを設置した場合は、例えば照明装置２５を箱体１０の天井部１０ｂに設置する場合（図１等を参照）などに比べると、透視窓１６が照明装置２５Ｂの光でほぼ直接的に照らされるか又はほぼ直交するような状態で確実に照らされるとともに、照明装置２５Ｂの光が透視窓１６の内側に存在する穀物の量に応じて適切に遮られて透視窓１６を通した穀物の量の状態が的確に反映されるようになり、透視窓１６を通した貯留室１１の内側の状況の視認性を向上させることができる。
【００９２】
また、上記透視窓１６については、図１４に示される透視窓１６Ｂのように、貯留室１１内に収容される穀物８の圧力を受けることにより貯留室１１の内側および外側の間で窓面の凸の方向（突出形状部の突出する方向）が反転するように弾性変形し得る透光性の樹脂部材で構成してもよい。
この透視窓１６Ｂとしては、例えば、穀物８の圧力を受けないときには図１４（Ａ）に示されるように窓面の凸の方向が貯留室１１の内側に向いた状態であり、貯留室１１内に収容される穀物８の圧力を透視窓１６Ｂの下部におよぶ第１の収容時高さ８０ａで受けて押され始めることにより図１４（Ｂ）に示されるように窓面の凸の方向が貯留室１１の外側に向くよう変更し始め、最後に穀物８の圧力を透視窓１６Ｂの全面におよぶ第２の収容時高さ８０ｂで受けて強く押されることにより図１４（Ｃ）に示されるように窓面の凸の方向が貯留室１１の外側に向いて反転するように弾性変形するものを適用することができる。また、この透視窓１６Ｂは、その窓面を押す穀物８が存在しなくなった後は、図１４（Ａ）に示されるように窓面の凸の方向が貯留室１１の内側に向いた状態に自然に復元するものであることが望ましい。
【００９３】
このような透視窓１６Ｂを採用した場合は、透視窓１６Ｂが照明装置２５（２５Ｂ）により照らされることに加えて、穀物８の収容される量に応じて外側に変形した状態になることにより、透視窓１６Ｂそのものおよび透視窓１６Ｂを通した貯留室１１の内側の状況の視認性が更に向上する。
また、透視窓１６Ｂの場合は、窓面の凸の方向が貯留室１１の外側に向いて膨らんだ状態になると、その状態にある透視窓１６Ｂを照明装置２５（２５Ｂ）の光が透過するときに種々屈折して拡散された状態で外部に放射されるので、この観点からも透視窓１６Ｂのどのあたりまで穀物８が収容されているかがわかりやすくなる。
【００９４】
また、上記透視窓１６Ｂを採用する場合は、図１５に示されるように、透視窓１６Ｂの窓面が外側に膨らむように変形する状態で感知する感知手段１７を設けてもよい。
感知手段１７としては、例えば感圧センサ、感圧スイッチ等が適用される。また、この感知手段１７については、穀物の収容時高さ８０ａ，８０ｂの変化により透視窓１６Ｂの外側に膨らむ程度の違いに応じて個別に感知するよう複数のものを配置しても構わない。さらに、感知手段１７は、透視窓１６Ｂを視認することを妨げない位置に配置される。
さらに、上記透視窓１６Ｂと上記感知手段１７を採用する場合は、その感知手段１７の感知結果を制御装置５８に入力した後、例えば操作盤５０の画面表示部５２に表示するとよい。また、感知手段１７の感知結果を制御装置５８に入力して穀物の張込量を自動検知させるとともに自動設定するようにしてもよい。
【００９５】
また、上記複数の透視窓１６については、図１６に示されるように、光ファイバー７０の末端から出射される光を複数の透視窓１６に箱体１０の外側からそれぞれ照射して照らすように構成してもよい。
この場合、例えば、図１６に示されるように、光ファイバー７０に入光させる光の光源ユニット７１を操作盤５０の内部に設置したうえで、その光源ユニット７１と接続した光ファイバー７０を、箱体１０の正面部１０ａに上下方向に取り付けたハーネス等の配線用部材７２に組み込んで引き回した後、各透視窓１６の手間の位置に届くよう分配して配置する。ちなみにこの場合、照明装置２５は、その設置を省略してもよいが、光ファイバー７０と併用して各透視窓１６を照明するように構成するとよい。
このように構成した場合は、複数の透視窓１６が光ファイバー７０の末端から出射される光で直接照らされ、透視窓１６そのものや透視窓１６を通した内側の状況の視認性を向上させることができる。
【００９６】
さらに、上記複数の透視窓１６については、図１７に示されるように、その一部の端部（一辺部）に導光板（導光部材）７５を配置し、光ファイバー７０からの光が導光板７５で広げられた状態で照らされる透視窓１６Ｃとして構成してもよい。
この場合、導光板７５には、ジョイント７３等を介して上記光ファイバー７０どうしを連結して接続すればよい。これにより、各透視窓１６Ｃは、導光板７５で広められた光で照らされるので、透視窓１６Ｃを通した内側の状況の視認性を向上させることができる。
【００９７】
また、上記透視窓１６Ｃは、図１７に示されるように、例えば内部に光を散乱される状態の数字、記号、文字等の識別情報７６を刻印した透明アクリル板１６２により構成するとよい。
この場合は、導光板７５で広められた光が透明アクリル板１６２の内部に刻印された識別情報７６により散乱されることで、その識別情報７６が明るく光って浮かび上がるように視認される。これにより、透視窓１６Ｃを通した内側の状況の視認性を更に向上させることができる。
【符号の説明】
【００９８】
１    穀物乾燥機
８    穀物
１０  箱体
１１  貯留室
１２  乾燥室
１６  透視窓
２５  照明装置
２７  過負荷電流値検出センサ（検出器の一例）
３０  搬送装置
３１  昇降機（搬送装置の一部）
３２  上部移送機（搬送装置の一部）
３２ｆ  第２の排出口（開口部の一例）
３３  拡散羽根
３６ａ  モータ
４１  開閉シャッタ（開閉部材の一例）
５６  照明スイッチ（操作手段の一例）
【図１】
2020106181.tif 000003
【図２】
2020106181.tif 000004
【図３】
2020106181.tif 000005
【図４】
2020106181.tif 000006
【図５】
2020106181.tif 000007
【図６】
2020106181.tif 000008
【図７】
2020106181.tif 000009
【図８】
2020106181.tif 000010
【図９】
2020106181.tif 000011
【図１０】
2020106181.tif 000012
【図１１】
2020106181.tif 000013
【図１２】
2020106181.tif 000014
【図１３】
2020106181.tif 000015
【図１４】
2020106181.tif 000016
【図１５】
2020106181.tif 000017
【図１６】
2020106181.tif 000018
【図１７】
2020106181.tif 000019